(57)【要約】【課題】マイコンの誤動作が生じても白煙の発生を回避し得る液体燃料ファンヒータ制御回路を提供する。【解決手段】本ファンヒータ制御回路１００は、第１入力信号ＳＧ４及び第２入力信号ＳＧｘの双方の状態に基づいて外部指令信号を出力するマイクロコンピュータ１００と、第１アクチュエータＭｆが動作中の場合に動作確認信号ＳＧ３を出力する第１アクチュエータ動作検出回路１７０と、前記外部指令信号ＳＧ１及び前記動作確認信号ＳＧ３の双方の信号状態に基づいて第２アクチュエータＰの駆動許可信号ＳＧ４を出力する駆動許可回路１３０と、前記駆動許可信号ＳＧ５に基づいて前記第２アクチュエータＰの運転を行うドライブ回路１８０とを備える。特に、前記第１アクチュエータ動作検出回路１７０は、前記マイクロコンピュータ１１０の外部に設けられ、且つ、回路基板に実装されている。【選択図】図１
2019219115.tif 000002
【特許請求の範囲】
【請求項１】
第１入力信号及び第２入力信号の双方の状態に基づいて外部指令信号を出力するマイクロコンピュータと、第１アクチュエータが動作中の場合に動作確認信号を出力する第１アクチュエータ動作検出回路と、前記外部指令信号及び前記動作確認信号の双方の信号状態に基づいて第２アクチュエータの駆動許可信号を出力する駆動許可回路と、前記駆動許可信号に基づいて前記第２アクチュエータの運転を行うドライブ回路と、を備え、
前記第１アクチュエータ動作検出回路は、前記マイクロコンピュータの外部に設けられ、且つ、回路基板に実装されている、ことを特徴とするファンヒータ制御回路。
【請求項２】
前記第１アクチュエータは、ブロワ装置に設けられたブロワ用モータとされ、
前記第１入力信号は、前記第１アクチュエータが駆動している場合に該駆動動作の周期に応じたパルス波形とされる、ことを特徴とする請求項１に記載のファンヒータ制御回路。
【請求項３】
前記第１入力信号は、ブロワ用モータに設けられたホールＩＣから出力される信号である、ことを特徴とする請求項１又は請求項２に記載のファンヒータ制御回路。
【請求項４】
前記第２アクチュエータは、燃料ポンプ装置に設けられたポンプ用アクチュエータとされる、ことを特徴とする請求項１乃至請求項３のうち何れか一項に記載のファンモータ制御回路。
【請求項５】
前記第１アクチュエータ動作検出回路は、ホールＩＣの信号出力部と前記駆動許可回路の信号入力部との間に介挿される状態で配線されている、ことを特徴とする請求項１乃至請求項４のうち何れか一項に記載のファンモータ制御回路。
【請求項６】
前記駆動許可回路は、前記外部指令信号がパルス波形とされる第１条件、及び、前記動作確認信号が前記第１アクチュエータの運転最中を示す信号状態である第２条件、の双方の条件が満足された場合に前記駆動許可信号を出力する、ことを特徴とする請求項１乃至請求項５のうち何れか一項に記載のファンモータ制御回路。
【請求項７】
前記駆動許可信号は、パルス状の波形とされる、ことを特徴とする請求項１乃至請求項６のうち何れか一項に記載のファンモータ制御回路。
【請求項８】
前記駆動許可信号のパルス状の波形は、前記外部指令信号の周期的成分に応じて波形形成される、ことを特徴とする請求項１乃至請求項７のうち何れか一項に記載のファンモータ制御回路。
【発明の詳細な説明】
【技術分野】
【０００１】
本発明は、ファンヒータの制御回路に関する。
【背景技術】
【０００２】
ポット式液体燃料ファンヒータは、燃料ポンプ，気化器，ブロアファン，燃焼釜，燃料加熱ヒータ，この他，電機的構成を制御する制御回路（ファンヒータ制御回路）が設けられている。液体燃料（以下、石油）は、燃料ポンプによって気化器へ導入され、ここで蒸発した石油の気化微粒子成分が気体燃料となって当該気化器から離脱する。この気体燃料は、ブロワファンによって導入された空気と混合され、燃焼に適した混合比に調整される。この混合気は、燃焼釜に配置された燃料点火ヒータによって燃焼される。
【０００３】
また、制御回路は、マイコンが実装され、燃料ポンプ，ブロアファン，を適宜に制御する。また、この制御に関しては、マイクロコンピュータ（以下、マイコン）から適宜の信号が出力され、これに応じて燃料ポンプ用アクチュエータ（ソレノイド式プランジャ駆動機構）を始めとする各種アクチュエータが制御される。特に、引用文献１では、上述したマイコンへ各種信号が入力され、当該マイコンが集約的に処理を実行し各種制御信号を出力することとなる。
【先行技術文献】
【特許文献】
【０００４】
【特許文献１】特開昭６３−１１６０２１号公報
【発明の概要】
【発明が解決しようとする課題】
【０００５】
しかしながら、マイコンの誤動作によっては、ブロワ用モータをオフさせたまま、燃料点火ヒータ及び燃料ポンプを駆動させる故障モードが考えられる。この場合、石油ファンヒータの気化器では、石油が導引され続けて高濃度の混合気が形成されるので、ブロワ用モータがオフ状態とされる故障モードの場合、ファンヒータから白煙が発生し外気へ可燃性の気体を漏出し続けるという危険な状況を招く。
【０００６】
本発明は上記課題に鑑み、ブロワ用モータの予期せぬ誤動作に起因する白煙発生を回避し得るファンヒータ制御回路の提供を目的とする。
【課題を解決するための手段】
【０００７】
上記課題を解決するため、本発明では次のような液体燃料ファンヒータ制御回路の構成とする。即ち、第１入力信号及び第２入力信号の双方の状態に基づいて外部指令信号を出力するマイクロコンピュータと、第１アクチュエータが動作中の場合に動作確認信号を出力する第１アクチュエータ動作検出回路と、前記外部指令信号及び前記動作確認信号の双方の信号状態に基づいて第２アクチュエータの駆動許可信号を出力する駆動許可回路と、前記駆動許可信号に基づいて前記第２アクチュエータの運転を行うドライブ回路と、を備え、
前記第１アクチュエータ動作検出回路は、前記マイクロコンピュータの外部に設けられ、且つ、回路基板に実装されていることとする。
【０００８】
好ましくは、前記第１アクチュエータは、ブロワ装置に設けられたブロワ用モータとされ、前記第１入力信号は、前記第１アクチュエータが駆動している場合に該駆動動作の周期に応じたパルス波形とされることとする。
【０００９】
好ましくは、前記第１入力信号は、ブロワ用モータに設けられたホールＩＣから出力される信号であることとする。
【００１０】
好ましくは、前記第２アクチュエータは、燃料ポンプ装置に設けられたポンプ用アクチュエータとされることとする。
【００１１】
好ましくは、前記第１アクチュエータ動作検出回路は、ホールＩＣの信号出力部と前記駆動許可回路の信号入力部との間に介挿される状態で配線されていることとする。
【００１２】
好ましくは、前記駆動許可回路は、前記外部指令信号がパルス波形とされる第１条件、及び、前記動作確認信号が前記第１アクチュエータの運転最中を示す信号状態である第２条件、の双方の条件が満足された場合に前記駆動許可信号を出力することとする。
【００１３】
好ましくは、前記駆動許可信号は、パルス状の波形とされることとする。
【００１４】
好ましくは、前記駆動許可信号のパルス状の波形は、前記外部指令信号の周期的成分に応じて波形形成されることとする。
【発明の効果】
【００１５】
本発明に係るファンヒータ制御回路によると、ブロワ用モータの動作確認を行う回路が設けられ、当該ブロワ用モータの運転を確認した上で燃料ポンプの運転が実施される。従って、かかる制御回路では、ブロワ用モータのみが故障停止した場面で燃料ポンプを駆動できなくなるので、気化燃料による危険な白煙の発生を未然に防止させることができる。
【００１６】
また、かかる制御回路は、マイコンが暴走動作してブロワ用モータを停止させていても、マイコン以外のトラブルでブロワ用モータを停止させていても、ブロワ用モータの駆動事実に基づいて燃料ポンプの運転許可が判定される。即ち、本制御回路は、故障モードに関わりなく、気化装置系への不要な燃料供給を防止できる。
【図面の簡単な説明】
【００１７】
【図１】実施の形態に係るファンヒータ制御回路の回路構成を示す図。
【図２】実施の形態に係るポンプ動作シーケンスを表したフローチャート図。
【発明を実施するための形態】
【００１８】
以下、本発明に係る実施の形態につき図面を参照して具体的に説明する。本実施の形態に係る液体燃料ファンヒータ（以下、石油ファンヒータ）は、ポット式燃焼装置とされており、図１に示す如く、燃料ポンプＰ，燃料気化装置１２０，ブロワファン（ブロワ用モータＭｆによって駆動される装置），燃焼釜，この他、電機的構成を制御する制御回路１００が設けられている。尚、符号付与されていない構成名称は、図面上での記載がない場合がある。
【００１９】
燃料ポンプＰは、プランジャの摺動機構を配備させ、該プランジャの収容配管を包囲する状態にてソレノイドコイルが設けられる。該プランジャは、この収容配管を軸方向に摺動する際、一次側へ移動するときに逆止弁を開放させ、二次側へ移動するときに逆止弁を閉止させる機構が設けられている。これにより、プランジャは、一次側から二次側へ移動するタイミングで、該二次側から定量の燃油を連続的に吐出させる。二次側へ燃油を蓄え所定極性に磁化された磁性体が該プランジャに配備されている。このプランジャは、ソレノイドコイルの通電遮断動作に応動して、燃油の吐出作用を与える。以下、プランジャ、磁性体（永久磁石等）、ソレノイドコイルから構成される機構を第２アクチュエータと呼ぶ。
【００２０】
この燃料ポンプＰは、配管を介して、燃料タンクと燃料気化装置１２０との間に設けられている。該燃料ポンプＰは、第２アクチュエータによって駆動制御され、燃料タンクから供給される石油供給量を適宜に調整する。
【００２１】
燃料気化装置は、燃焼釜の底部に気化シートが配備されており、此処へ、燃料ポンプＰによって供給される燃料が適量滴下される。この気化シートでは、供給燃料を気化させ、これを点火ヒータ１２１へ導く。
【００２２】
燃焼釜の近傍には、バイメタル式通電切換装置１２２（過熱防止機能部１２２）が配備されている。該バイメタル式通電切換装置１２２は、温度特性の異なるメタルを積層させた構成によって、所定温度の検知及び通電切換が行われる。該バイメタル式通電切換装置１２２は、燃焼釜の温度が安全状態の温度に保たれているときは通電状態を保持し、燃焼釜の温度が安全状態を逸脱すると非通電状態とされる。即ち、バイメタル式通電切換装置１２２は、バイメタル変形が燃焼釜の危険温度に適合されており、これが危険温度に達すると、電源Ｖａからの電力供給を遮断する。
【００２３】
ブロワファン（ブロワ装置）は、石油ファンヒータ内のダクトを介して、外気を装置内へ導く機能を果たす。このブロワファンは、ブロワ用モータＭｆ（第１アクチュエータ）のシャフトに軸着され、当該モータＭｆに連動して回動動作する。即ち、ブロワファンは、ブロワ用モータＭｆの動作に応じて、外気の供給量を制御することとなる。この外気は、後述する燃焼釜へ投入され、上述した微粒子状の石油燃料と混合される。この混合気は、燃焼に適した空燃比に調整され、ＮＯｘ若しくはＣＯの少ない燃焼状態が実現される。
【００２４】
燃焼釜は、混合気の通路に点火ヒータ１２１が配備され、該点火ヒータ１２１が与える熱エネルギーによって混合気を着火させ連続的な燃焼を実現させる。そして、燃焼状態に達した混合気は、燃焼釜を通過する間に完全燃焼に至り、燃焼釜の表面では、混合気から受けた高い熱量を外部へ放熱する。
【００２５】
上述の如く、本実施の形態に係る石油ファンヒータは、燃料供給系統（燃料タンク→燃料ポンプ→燃料気化装置）、燃料燃焼系統（燃料気化装置→燃焼釜）、送風系統（ダクト→燃料気化装置→燃焼釜）、から成る機能部がシステム化され、装置全体として、石油燃料の燃焼によって生じた熱量を装置外部へ提供する。
【００２６】
ファンヒータ制御回路１００は、マイコン１１０と、点火ヒータ１２１と、バイメタル式通電切換装置１２２と、指令信号検出回路１５０と，ブロワ用モータ動作検出回路１７０（第１アクチュエータ動作検出回路１７０）と，駆動許可回路１３０と，ドライブ回路１８０と，ブロワ用モータＭｆ及びそのホールＩＣ１６０と、燃料ポンプＰ及びポンプ用アクチュエータ（第２アクチュエータ）と、から構成される。
【００２７】
尚、マイコン１１０については、その機能に関して追って詳述するが、一般的構成については説明の便宜上ここで説明する。図示の如く、マイコン１１０は、電源入力ポートＰ１、ＧＮＤポートＰ２、信号出力ポートＰ３，Ｐ６、及び、信号入力ポートＰ５，Ｐ７、が各々配備されている。また、当該マイコン１１０は、演算処理回路ＣＰＵ，ＡＤ変換及びＤＡ変換を行う各種変換回路ＡＤ，デジタル情報を記録するメモリ回路Ｍｅ，この他、バスシステムに対してクロックタイミングを提供するクロック回路（図示なし）等が内蔵されている。
【００２８】
かかるマイコン１１０は、ハードウェア資源とソフトウェア資源とが協働機能することで、所望の機能部を構築し当該機能を発揮させる。具体的には、メモリ回路Ｍｅに記述されたソフトウェアをシーケンス順に処理することで、所望の結果情報を作成し、必要に応じてメモリ回路Ｍｅへ該情報を記録させ、若しくは、必要に応じて適宜の信号を出力する。この動作にあたり、マイコン１１０へ入力される信号は、入力ポートへ印加され、これがＡＤ変換回路によってデジタル情報化される。
【００２９】
点火ヒータ１２１は、マイコン１１０の出力ポートＰ３へ電気的に接続され、Ｈ／Ｌの二値化された出力信号ＳＧｈが与えられる。本実施の形態では、出力信号ＳＧｈがＨｉｇｈ値の場合、点火ヒータ１２１に電流が通電し、燃料気化装置１２０から導引される気化燃料に対して、着火エネルギーを与える。
【００３０】
また、図示されていないが、燃焼釜には、その近傍にサーミスタが配備される。このサーミスタで検出される情報は、マイコン１１０によって、温度情報に基づく適宜の処理にて利用される。
【００３１】
マイコン１１０は、信号ラインを介して、入力ポートＰ５へ信号ＳＧｘが入力される。このとき、マイコン１１０では、バイメタル式通電切換装置１２２が実際に解列状態であるか否かを判定する（過熱防止判定処理Ｓ０１）。過熱防止判定処理Ｓ０１は、信号ＳＧｘの電位がＬｏｗ状態のとき、バイメタル式通電切換装置１２２が非通電状態であることを認識し、燃焼釜が危険温度（高温）に達していると判定する。一方、同処理は、信号ＳＧｘの電位がＨｉｇｈ状態のとき、バイメタル式通電切換装置１２２が通電状態であることを認識し、燃焼釜が安全な温度域であると判定する。
【００３２】
マイコン１１０は、燃焼釜の温度状態が危険であると認識した場合、エラーフラグを設定する（Ｓ０５）。このエラーフラグは、運転開始条件が整うまでリトライ動作が入力されてもこれを拒絶し、運転許可させないことを定義づけるフラグである。外部指令信号停止処理Ｓ０６は、上記エラーフラグが立っている場合、外部指令信号としての信号ＳＧ１を出力させない。本実施の形態の場合、外部指令信号の出力停止とは信号ＳＧ１の波形が一定値に安定する様をいい、外部指令信号の出力状態とは信号ＳＧ１の波形が周期的波形（例えば、パルス波形）とされる様をいう。
【００３３】
ブロワ用モータＭｆは、同期モータが用いられ、回転子の回転位置（位相）がホールＩＣ１６０によって検出される。このホールＩＣ１６０は、固定子の回転位置を報知させる為、検出信号を適宜のタイミングで出力させる。即ち、ホールＩＣ１６０は、回転子が回動している場合、その動作に応じてパルス信号を出力する。このパルス信号は、検出信号ＳＧ４とされ、回転速度に応じてパルス波形の周期が変化する。
【００３４】
図示の如く、ホールＩＣ１６０の信号出力部は、一の配線から分枝され、その一方がマイコン１１０の入力ポートＰ７へ電気的に接続され、その他方がブロワ動作検出回路１７０の信号入力部へ電気的に接続されている。従って、ホールＩＣ１６０から出力される検出信号ＳＧ４は、入力ポートＰ７及びブロワ動作検出回路１７０の双方へ伝送される。
【００３５】
マイコン１１０は、バイメタル式通電切換装置１２２が通電状態であるかを信号ＳＧｘによって判定し（処理Ｓ０１）、その後、ブロワ用モータＭｆが十分な回転速度に達していているかを検出する（処理Ｓ０２）。そして、この双方の条件が整うと、出力ポートＰ６からは、周期的なパルス状の外部指令信号ＳＧ１を出力する（処理Ｓ０３、処理Ｓ０４）。
【００３６】
本実施の形態では、ブロワ用モータＭｆが回動している場合に限り、パルス状の外部指令信号ＳＧ１が出力許可される。但し、本実施の形態では、後述するブロワ用モータ動作検出回路１７０（第１アクチュエータ動作検出回路１７０）が設けられ、これによって、ブロワ用モータＭｆが回動しているか否かの判定が実施される。その意味では、マイコン側のブロワ用モータ回動判定は、バックアップ的機能として位置づけされる。
【００３７】
指令信号検出回路１５０は、外部指令信号ＳＧ１が入力されると、これを信号ＳＧ２として後段回路へ出力する。即ち、外部指令信号ＳＧ１と信号ＳＧ２とは、実質的には同一の信号と言える。即ち、後段回路とされる駆動許可回路１３０は、一方の入力として、パルス状の外部指令信号ＳＧ１が間接的に入力されることとなる。
【００３８】
ポンプ用アクチュエータは、ソレノイドコイルにドライブ回路１８０が接続され、内蔵されるトランジスタＴｒ４のＯＮ／ＯＦＦ動作によって、プランジャの摺動制御が行われる。これにより、ポンプ用アクチュエータは、単位時間当たりの燃油送り料、即ち、燃料に係る管内流量を調整する。
【００３９】
ブロワ用モータ動作検出回路１７０は、図１に示す如く、抵抗Ｒ７、Ｒ９、コンデンサＣ１から成るハイパスフィルタ、ダイオードＤ１，Ｄ２から成る整流回路、抵抗Ｒ８及びコンデンサＣ２から成る平滑回路、によって構成される。ブロワ用モータ駆動検出回路１７０へ信号ＳＧ４が入力されると、点Ａの電位状態は、ブロワ用モータＭｆの回転数に応じた急峻な鋸状波形とされる。この電気状態が点Ｂへ伝達されると、この点Ｂでの電気状態は、点Ａでの波形が平滑され、穏やかに減衰する鋸状波とされる。この鋸状波（動作確認信号ＳＧ３）は、ブロワ用モータＭｆの回転数が高いと波形谷部が高レベル（電位）の波形とされ、この回転数が低いと波形谷部が低レベル（電位）の波形とされる。即ち、該鋸刃波は、モータ回転数に応じて、全体が上方（高い電位）または下方（低い電位）へと推移する。
【００４０】
そして、本実施の形態では、トランジスタＴｒ５（ＭＯＳＦＥＴ）のスレッショルド電位と、ポンプ運転に際しブロワ用モータＭｆの最低許容回転数に相当する動作確認信号ＳＧ３の電位とが、略一致するようにブロワ用モータ動作検出回路１７０の回路素子が設定されている。従って、ブロワ用モータ動作検出回路１７０は、ブロワ用モータＭｆが上記最低許容回転数に達していなければ、動作確認信号ＳＧ３が低電位とされ、このとき、トランジスタＴｒ５が非通電状態とされる。一方、ブロワ用モータＭｆが上記最低許容回転数に達していれば、動作確認信号ＳＧ３がゲートチャンネルを形成できる程度の高電位とされ、このとき、トランジスタＴｒ５が通電状態とされる。
【００４１】
駆動許可回路１３０は、トランジスタＴｒ２、Ｔｒ３、Ｔｒ５、その他、抵抗素子Ｒ１〜Ｒ４から構成される。このうち、トランジスタＴｒ５はｎチャンネルＭＯＳＦＥＴとされ、その他のトランジスタはｐｎｐ型バイポーラトランジスタとされる。トランジスタＴｒ２は、エミッタにバイメタル式通電切換装置１２２が接続され、抵抗素子Ｒ１及びＲ２の分圧点がベースに接続される。トランジスタＴｒ３は、抵抗素子Ｒ３とエミッタの共通接点がトランジスタＴｒ２のコレクタへ接続され、抵抗素子Ｒ３及びＲ４の分圧点が其のベースに接続され、コレクタが駆動許可回路１３０に於ける出力点とされる。また、トランジスタＴｒ５は、抵抗素子Ｒ４へドレインが接続され、ソースがＧＮＤへ接続される。
【００４２】
この駆動許可回路１３０は、マイコンの出力ポートＰ６から外部指令信号ＳＧ１（パルス波）が与えられると、トランジスタＴｒ２は、其のコレクタ後段の電位が低下していれば、外部指令信号ＳＧ１の波形を反転させた状態で通電遮断を繰り返す。このとき、トランジスタＴｒ３は、トランジスタＴｒ２の動作に応じてパルス波形を出力する。以後では、この波形状態の信号を駆動許可信号ＳＧ５と呼ぶ。
【００４３】
これまでの説明では、トランジスタＴｒ２のコレクタ後段の電位が低い場合としている。この場合、過熱防止機能が働かない安全な状況では、外部指令信号ＳＧ１のパルス波形を反転させた信号（駆動許可信号ＳＧ５）が、トランジスタＴｒ３のコレクタ端子から出力される。一方、過熱防止機能が作動する危険な状況では、トランジスタＴｒ２、Ｔｒ３が非通電状態へ切替わり、駆動許可信号ＳＧ５が出力されなくなる。
【００４４】
但し、駆動許可回路１３０には、駆動許可信号ＳＧ５の出力を規定する条件が、もう一つ設けられている。その条件は、ブロワ用モータ動作検出回路１７０の動作状態によって与えられる。具体的に説明すると、ブロワ用モータ動作検出回路１７０は、上述したように、ブロワ用モータＭｆが所定回転数に達すると、トランジスタＴｒ５は、ゲート−ソース間の電位差が上昇し、Ｔｒ５が通電状態とされる。この場面では、ブロワ用モータ動作検出回路１７０は、パルス状の信号ＳＧ２が入力されていれば、駆動許可信号ＳＧ５も、これに応動して断続的な出力電流となる。
【００４５】
一方、ブロワ用モータ動作検出回路１７０は、ブロワ用モータＭｆが所定回転数未満の場合、トランジスタＴｒ５は、ゲート−ソース間の電位差が低下し、Ｔｒ５が非通電状態へ戻る。この場面では、ブロワ用モータ動作検出回路１７０は、パルス状の信号ＳＧ２が入力されていても、トランジスタＴｒ３が非導通状態とされるので、駆動許可信号ＳＧ５を出力させることはない。
【００４６】
即ち、駆動許可回路１３０は、外部指令信号ＳＧ１（ＳＧ２）及び動作確認信号ＳＧ３の双方の信号状態に基づき、駆動許可信号ＳＧ５を出力させている。具体的には、駆動許可回路１３０は、過熱防止機能部が作動していない安全状態であって、且つ、ブロワ用モータＭｆが所定回転数以上で運転されている場合に限り、駆動許可信号ＳＧ５を出力させる。言い換えると、駆動許可回路１３０は、外部指令信号ＳＧ１及び動作確認信号ＳＧ３のＡＮＤ条件によって、駆動許可信号ＳＧ５を出力させる。
【００４７】
その後段に設けられるドライブ回路１８０は、トランジスタＴｒ４と、このベースに設けられる抵抗素子Ｒ５と、ベース−エミッタ間に設けられる抵抗素子Ｒ６とから構成される。かかるドライブ回路１８０は、トランジスタＴｒ４へ駆動許可信号ＳＧ５が入力されなければ、ベース-エミッタ間の通電が行われないので、非導通状態のままである。一方、トランジスタＴｒ４は、ベースへ駆動許可信号ＳＧ５が入力されると、ベース-エミッタ間の通電が断続的に行われ、これに応じた導通状態を形成する。
【００４８】
このように、トランジスタＴｒ４は、駆動許可信号ＳＧ５が入力されていると、これに応じてポンプ用アクチュエータのピストン動作を行う。ポンプ用アクチュエータでは、トランジスタＴｒ４の通電動作に応じてプランジャを駆動させ、燃料供給動作を実現させる。即ち、外部指令信号ＳＧ１（ＳＧ２）及び動作確認信号ＳＧ３の双方が所定条件に合致した状態でなければ、駆動許可信号ＳＧ５が出力されることはない。従って、本実施の形態に係る制御回路１００では、ブロワ用モータＭｆのみが故障停止した場面で燃料ポンプＰを駆動できなくなるので、気化燃料による危険な白煙の発生を未然に防止させることができる。
【００４９】
上述した回路構成は、ブロワ用モータ動作検出回路１７０がマイコン１１０の外部構成とされ、これが回路基板へ適宜に実装されたものである。そして、ブロワ用モータＭｆの動作を示す信号ＳＧ４は、マイコン１１０を介さず、直接にブロワ用モータ動作検出回路１７０へ送信される。従って、制御回路１００は、マイコン１１０が暴走動作してブロワ用モータを停止させていても、マイコン以外のトラブルでブロワ用モータＭｆを停止させていても、ブロワ用モータＭｆの駆動事実に基づいて燃料ポンプの運転が許可される。即ち、本制御回路は、故障モードに関わりなく、気化装置系の安全を保障できる。
【符号の説明】
【００５０】
１００  液体燃料ファンヒータ制御回路（制御回路），    １１０  マイクロコンピュータ（マイコン），    １２１  点火ヒータ，    １２２  バイメタル式通電切換装置（過熱防止機能部），    １３０  駆動許可回路，    １５０  指令信号検出回路，    １６０  ホールＩＣ，    １７０  ブロワ用モータ動作検出回路（第１アクチュエータ動作検出回路），    １８０  ドライブ回路，    Ｍｆ  ブロワ用モータ，    Ｐ  燃料ポンプ。
【図１】
2019219115.tif 000003
【図２】
2019219115.tif 000004